(57)【特許請求の範囲】
【請求項１】
電子装置本体と前記電子装置本体に装着する電池パックとを備える電子装置であって、前記電子装置本体の電池パック装着部には、一端部の左右両側に一対の係合爪と、この係合爪より他端部側に寄った位置に弾性を有する接触端子と、他端部に摺動自在のロックレバーをそれぞれ備えているとともに、前記電池パックには、一端部の左右両側に前記係合爪が係合する係合受け部と、この係合受け部より他端部側に寄った位置に前記接触端子が接触する電池端子と、他端部に前記ロックレバーが挿脱する係合溝をそれぞれ備えており、
前記係合爪と係合受け部が係合し、かつ前記ロックレバーが係合溝から離脱したとき、前記係合爪と係合受け部の係合部が回動支点となり、前記接触端子の弾性により前記電池端子部が押されて前記電池パックの他端部が持ち上がることを特徴とする電子装置。
【請求項２】
電池パックの他端部の側面と、これに対向する電子装置本体の電池パック装着部の側面に、互いに摺接するリブを備えていることを特徴とする請求項１記載の電子装置。
【請求項３】
互いに摺接するリブは、電池パックの回動軌跡の近似形状となっていることを特徴とする請求項２記載の電子装置。
【発明の詳細な説明】
【０００１】
【発明の属する技術分野】
本発明は、携帯電話機などの電子装置に係り、特に電子装置に装着される電池パックの保持装置に関するものである。
【０００２】
【従来の技術】
図４は、従来の電池パックの保持装置の構成を示したものである。図４において、１は携帯電話機などの電子装置の本体、２は電池パックの装着部、３は装着部２の一端部の左右両側に設けられた一対の係合爪、４は係合爪３の近傍に設けられた接触端子、５は装着部２の他端部に摺動自在に設けられたロックレバーである。
【０００３】
６は装着部２に装着される電池パックであり、内部に電池が収納されている。７は電池パック６の一端部の左右両側に設けられ係合爪３が係合する係合受け部、８は係合受け部７の近傍に設けられ接触端子４が接触する電池端子、９は電池パック６の他端部に設けられロックレバー５が挿脱する係合溝である。
【０００４】
上記構成において、電池パック６を電子装置本体１に装着するときは、まず、装着部２の係合爪３と電池パック６の係合受け部７とを係合させた上、係合溝９にロックレバー５を挿入することにより、電池パック６を保持し、接触端子４と電池端子８は接触状態を維持する。
【０００５】
【発明が解決しようとする課題】
ところで、上記従来の構成では、電池パック６を電子装置本体１から取り外す場合、例えば左手親指でロックレバー５を摺動させ、ロックレバー５を係合溝９から外し、その状態を維持したまま、右手で電池パック６を持ち上げなければならない。即ち、電池パック６を電子装置本体１から取り外す動作として、両手を使って操作しなければならないという問題があった。
【０００６】
本発明は、このような従来技術の問題点を解決するもので、ロックレバーを係合溝から外すと、電池パックの係合溝を設けた側の端部が自動的に持ち上がるようにして、電池パックの取外し操作を容易にした電子装置を提供することを目的とする。
【０００７】
【課題を解決するための手段】
この目的を達成するために、本発明の電子装置は、電子装置本体と前記電子装置本体に装着する電池パックとを備える電子装置であって、電子装置本体の電池パック装着部には、一端部の左右両側に一対の係合爪と、この係合爪より他端部側に寄った位置に弾性を有する接触端子と、他端部に摺動自在のロックレバーをそれぞれ備えているとともに、電池パックには、一端部の左右両側に係合爪が係合する係合受け部と、この係合受け部より他端部側に寄った位置に接触端子が接触する電池端子と、他端部にロックレバーが挿脱する係合溝をそれぞれ備えており、係合爪と係合受け部が係合し、かつロックレバーが係合溝から離脱したとき、係合爪と係合受け部の係合部が回動支点となり、接触端子の弾性により電池端子部が押されて電池パックの他端部が持ち上がる構成としたものである。
【０００８】
上記構成によれば、ロックレバーを係合溝から外すだけで、電池パックの他端部が持ち上がるので、電池パックの取外しが極めて容易になり、必ずしも両手操作をする必要はなくなる。
【０００９】
また、上記構成において、電池パックの他端部の側面と、これに対向する電子装置本体の電池パック装着部の側面に、互いに摺接し、また電池パックの回動軌跡の近似形状となるリブを設ける。この構成によれば、接触端子の弾性により電池端子部が押されて電池パックの他端部が持ち上がる時、リブ同士が摺接して摩擦抵抗を小さくすることができるので、電池パックの回動がスムーズになる。
【００１０】
【発明の実施の形態】
以下、本発明の実施の形態について図面を参照して詳細に説明する。
図１は、本発明の一実施の形態における電池パックの保持装置を示したものであり、図４と同一部材には同一符号を付してある。即ち、１は携帯電話機などの電子装置の本体、２は電池パックの装着部、３は装着部２の一端部の左右両側に設けられた一対の係合爪、４は係合爪３より他端部側に寄った位置に設けられた弾性を有する接触端子、５は装着部２の他端部に摺動自在に設けられたロックレバーである。
【００１１】
６は装着部２に装着される電池パックであり、内部に電池が収納されている。７は電池パック６の一端部の左右両側に設けられ係合爪３が係合する係合受け部、８は係合受け部７より他端部側に寄った位置に設けられ、接触端子４が接触する電池端子、９は電池パック６の他端部に設けられロックレバー５が挿脱する係合溝である。
【００１２】
さらに、電池パック装着部２の側面２aにリブ11と、電池パック６の他端部の側面６aの、リブ11に対応する部分にリブ12が設けられている。なおこのリブ11，12は、電池パックの回動軌跡の近似形状とする。
【００１３】
本発明の特徴部は、係合爪３と係合受け部７の係合部が電池パック６の回動支点となること、接触端子４と電池端子８の位置が、係合爪３と係合受け部７より他端部側に若干寄っており、ロックレバー５が係合溝９から離脱したとき、弾性を有する接触端子４が電池端子８部を押すことで、電池パック６が回動し、その他端部が持ち上がること、電池パック６が回動する時は、リブ12とリブ11だけが摺接することである。
【００１４】
次に、本実施の形態における電子装置本体１への電池パック６の着脱動作を説明する。まず、装着する場合は、図２に示したように、装着部２の係合爪３と電池パック６の係合受け部７とを係合させた上(図２(c)のＢ部拡大図参照)、係合溝９にロックレバー５を挿入することにより、電池パック６を保持し、接触端子４と電池端子８の接触状態を維持する。このとき電池パック６の他端部側面６aでは、図２(b)のＡ部拡大図のように、リブ11と12が接触している。
【００１５】
次に、電池パック６を電子装置本体１から取り外す場合、図３に示したように、ロックレバー５を摺動させて係合溝９から外すと(図３(b)のＡ部拡大図参照)、接触端子４がその弾性により電池端子８を押すので(図３(c)のＢ部拡大図参照)、係合爪３と係合受け部７の係合部が回動支点となり、電池パック６は回動し、他端部が持ち上がる。そこで、ロックレバー５から手を離してもロックレバー５が再度係合溝９に入ることもなく、電池パック６に容易に手が掛かり、取り外すことができる。また、リブ11と12はそれぞれ電池パックの回動軌跡の近似形状となっているので、摺動時の摩擦抵抗が最小となり、電池パックの回動がスムーズになる。
【００１６】
このように構成された本実施の形態によれば、ロックレバー５を係合溝９から外すと電池パック６の他端部が自動的に持ち上がるので、必ずしも両手で操作する必要はなく、また、電池パック６が回動する時は、電池パック６の他端部の側面６aが全面で電池パック装着部２の側面２aに摺接するのでなく、リブ11とリブ12だけの摺接であり、従って、摩擦抵抗が小さく、ロックレバー５が係合溝９から離脱したとき、電池パック６は容易に持ち上がる。
【００１７】
【発明の効果】
以上説明したように本発明によれば、ロックレバーを係合溝から外すと、電池パックの係合溝を設けた側の端部が自動的に持ち上がり、両手操作をすることなく、電池パックを容易に取り外すことができる効果がある。
【図面の簡単な説明】
【図１】本発明の一実施の形態における電池パックの保持装置の斜視図である。
【図２】同実施の形態における電池パックを電子装置本体に装着した状態を示す図である。
【図３】同実施の形態における電池パックを電子装置本体から取り外すためにロックレバーを係合溝から離脱させたときの状態を示す図である。
【図４】従来例の斜視図である。
【符号の説明】
１…装置本体、  ２…電池パック装着部、  ３…係合爪、  ４…接触端子、  ５…ロックレバー、  ６…電池パック、  ７…係合受け部、  ８…電池端子、  ９…係合溝、  11,12…リブ。
【図１】
0003678856.tif 000002
【図２】
0003678856.tif 000003
【図３】
0003678856.tif 000004
【図４】
0003678856.tif 000005